(57)【特許請求の範囲】
【請求項１】
プリンタが印刷する印刷データを保持するプリントバッファ装置であって、
当該印刷データを記憶するデータ記憶部と、
当該印刷データから印刷イメージを生成する印刷イメージ生成部と、
当該印刷イメージを表示する印刷イメージ表示部とを備え、
前記印刷イメージ表示部は、電力非供給時に表示内容を保持する記憶性を有し、
前記印刷イメージ表示部は、前記印刷イメージ生成部が生成する前記印刷イメージのデータの一部を読み込むバンドデータ記憶手段を有し、
前記印刷イメージ表示部は、前記バンドデータ記憶手段が生成した表示信号に基づいて前記印刷イメージの一部を表示し、
前記印刷イメージ表示部は、前記バンドデータ記憶手段により前記印刷イメージのデータの一部を読み込む動作と、前記バンドデータ記憶手段に読み込まれたデータに基づいて前記印刷イメージの一部を表示する動作と、を複数回繰り返すことにより前記印刷イメージの全体を表示し、
前記印刷イメージ表示部は、
複数のバンドデータエリアを含む表示領域を備えた表示パネルと、
前記表示パネルの各前記バンドデータエリアに対応して設けられた複数の駆動回路と、
前記複数の駆動回路のうちの一つと前記バンドデータ記憶手段との接続を切り換える切り換え手段と
を備えることを特徴とするプリントバッファ装置。
【請求項２】
請求項１に記載のプリントバッファ装置において、
前記プリントバッファ装置は、前記印刷データを修正する印刷データ修正部を備え、
前記印刷データ修正部は、前記印刷データの印刷順序を変更する印刷順序変更手段、前記印刷データを複製する印刷データ複製手段、前記印刷データを削除する印刷データ削除手段、前記印刷イメージを修正する印刷イメージ修正手段のうち少なくとも一つ以上を有することを特徴とするプリントバッファ装置。
【請求項３】
請求項２に記載のプリントバッファ装置において、
前記印刷イメージ修正手段により修正された印刷イメージに基づいて印刷データを生成する印刷データ復元手段をさらに備えることを特徴とするプリントバッファ装置。
【請求項４】
請求項１から３のいずれか一項に記載のプリントバッファ装置において、
前記印刷イメージ生成部は、前記印刷イメージを少なくとも２つ以上に分割して生成し、
前記印刷イメージ表示部は、分割された当該印刷イメージを１つに合成して表示することを特徴とするプリントバッファ装置。
【発明の詳細な説明】
【技術分野】
【０００１】
本発明は、コンピュータのようなホスト装置が生成してプリンタが印刷する印刷データを保持するプリントバッファ装置および印刷システムに関する。
【背景技術】
【０００２】
従来、プリンタが印刷する印刷データを保持するプリントバッファ装置は、入出力部と記憶部と制御部とを備え、家庭用の電力で稼動する据え置き型のプリントバッファ装置が知られている。また、下記の特許文献１に記載のようなプリントバッファ装置は、携帯型電源を備えることで、印刷データを保持した状態での移動を可能にしていた。
【０００３】
【特許文献１】実開平６−４３７４５
【発明の開示】
【発明が解決しようとする課題】
【０００４】
しかしながら、従来のプリントバッファ装置では、プリントバッファ装置が保持している印刷データの内容は表示されなかった。従って、プリントバッファ装置の使用者は、プリントバッファ装置に複数の印刷データを保持する場合や、印刷データを保持した状態でプリントバッファ装置を移動する場合は、他の印刷データを印刷する等の誤操作を防止するため、保持している印刷データ等の情報を必要に応じて記録しておく必要があった。
【課題を解決するための手段】
【０００５】
上記した課題を解決するために、本発明のプリントバッファ装置は、プリンタが印刷する印刷データを保持するプリントバッファ装置であって、当該印刷データを記憶するデータ記憶部と、当該印刷データから印刷イメージを生成する印刷イメージ生成部と、当該印刷イメージを表示する印刷イメージ表示部とを備えることを特徴とする。
【０００６】
上記構成によれば、プリントバッファ装置は、保持している印刷データの印刷イメージを印刷イメージ表示部で表示するため、プリントバッファ装置の使用者は、プリントバッファ装置が保持している印刷データの内容を把握でき、誤操作を防止できる。
【０００７】
本発明のプリントバッファ装置は、前記印刷データを修正する印刷データ修正部を更に備えることが好ましい。
【０００８】
更に本発明のプリントバッファ装置では、前記印刷データ修正部は、前記印刷データの印刷順序を変更する印刷順序変更手段、前記印刷データを複製する印刷データ複製手段、前記印刷データを削除する印刷データ削除手段のうち少なくとも一つ以上を有することが好ましい。
【０００９】
上記構成によれば、プリントバッファ装置が保持している印刷データを、印刷直前のプリントバッファ装置上で修正できるため、印刷データを効率的に修正できる。
【００１０】
本発明のプリントバッファ装置では、前記印刷データ修正部は、前記印刷イメージを修正する印刷イメージ修正手段を更に有することが好ましい。
【００１１】
上記構成によれば、プリントバッファ装置が保持している印刷データから生成した印刷イメージに対して修正を行い、修正した印刷のイメージで印刷できるため、プリントバッファ装置上で印刷イメージを視認しながら修正できる。
【００１２】
本発明のプリントバッファ装置では、前記印刷イメージ表示部は、電力非供給時に表示内容を保持する記憶性を有することが好ましい。
【００１３】
上記構成によれば、プリントバッファ装置の印刷イメージ表示部は、電力を消費することなく表示内容を保持するため、プリントバッファ装置の消費電力を押さえることができる。
【００１４】
本発明のプリントバッファ装置では、前記印刷イメージ生成部は、前記印刷イメージを少なくとも２つ以上に分割して生成し、前記印刷イメージ表示部は、分割された当該印刷イメージを１つに合成して表示することが好ましい。
【００１５】
上記構成によれば、プリントバッファ装置の印刷イメージ表示部は、表示内容を保持するため、印刷イメージ生成部は印刷イメージを分割し、印刷イメージ表示部は、分割したイメージ単位で表示処理して順次表示することで、表示処理に必要なメモリの容量を削減できる。
【００１６】
本発明のプリントバッファ装置では、前記プリントバッファ装置は、携帯可能な電源で駆動しても良い。
上記した課題を解決するために、本発明の印刷システムは、印刷可能なデータを入力するプリントバッファ装置と、プリンタとを備えた印刷システムであって、前記プリントバッファ装置は、前記データから印刷イメージを生成して表示すると共に、前記印刷イメージを変更すべく修正した前記データを前記プリンタに送り、前記プリンタは、前記データに基き印刷することを特徴とする。
上記構成によれば、前記したプリントバッファ装置と同様の作用および効果を享受できる。
【発明を実施するための最良の形態】
【００１７】
以下、本発明の実施形態について、図面を参照して説明する。
【実施例】
【００１８】
図１は、本発明の実施例に係るプリントバッファ装置１の外観上の構成を示す外観構成図である。図１に示すように、プリントバッファ装置１は、ホスト装置２およびプリンタ３と接続する。ここで、ホスト装置２により作成された印刷データ３３は、プリントバッファ装置１に送られ、プリントバッファ装置１で処理された後、プリンタ３に送られ印刷される。
このプリントバッファ装置１の表面側には、表示パネル４１、操作入力スイッチ５１および修正入力パッド５６が具備される。また、側面側には、データ入力端子１２およびデータ出力端子２２が具備される。表示パネル４１は、プリンタ３で印刷される印刷イメージを表示する。操作入力スイッチ５１は、プリントバッファ装置１を使用者が操作するための入力装置である。また、修正入力パッド５６は、表示パネル４１で表示される印刷イメージを使用者が修正するための文字入力装置である。
【００１９】
データ入力端子１２は、ホスト装置２が作成した印刷データ３３をプリントバッファ装置１に入力する。また、データ出力端子２２は、プリントバッファ装置１から印刷データ３３をプリンタ３に出力する。ここで、データ入力端子１２とホスト装置２の図示しないプリンタ出力端子との接続、およびデータ出力端子２２とプリンタ３の図示しない入力端子との接続は、ＵＳＢ（Universal Serial BUS）により接続されているが、この他にも、ＲＳ−２３２Ｃ、パラレル接続、１００Ｂａｓｅ−Ｔ規格を用いたネットワーク接続などを採用することができる。
【００２０】
また、このホスト装置２は、ＭＳ-Ｗｉｎｄｏｗｓ（登録商標）をオペレーティングシステムとするパーソナルコンピュータであるが、これに限らず、印刷機能を有する他のオペレーティングシステムを採用できる。更に、このプリンタ３は、「ＥＳＣ／ＰＡＧＥ」（セイコーエプソン社が開発したページプリンタ用の制御コード）と呼ばれるプリンタコードで制御されるページプリンタであるが、これに限らず、「ＰｏｓｔＳｃｒｉｐｔ」（Ａｄｏｂｅ  Ｓｙｓｔｅｍｓ社が開発したページ記述言語）と呼ばれるプリンタコードで制御されるページプリンタや、ＸＭＬ／ＨＴＭＬデータなどの文書構造記述言語による記述データを直接印刷可能なプリンタも採用できる。
【００２１】
図２は、プリントバッファ装置１の主なハード構成を示すブロック図である。図２に示すように、プリントバッファ装置１は、ＣＰＵ（Central  Processing  Unit）７１、ＲＡＭ（Random  Access  Memory）７４、ＲＯＭ（Read  Only  Memory）７２、バッテリ７３、フラッシュメモリ３１、表示パネル４１、修正入力パッド５６、操作入力スイッチ５１、受信ポート１１および送信ポート２１で構成され、バス７５で互いに接続されている。
【００２２】
ＣＰＵ７１は、ＲＯＭ７２に格納された基本制御プログラムやアプリケーションプログラムなどの各種プログラム及びデータを読み込み、それら各種プログラム及びデータをＲＡＭ７４内に設けられるワークエリアに展開実行して、プリントバッファ装置１が備える各部の制御を実行する。
フラッシュメモリ３１は、ＣＰＵ７１からの指示に従って、印刷データ３３を記憶する大容量で不揮発性を備えるデータ記憶手段である。
【００２３】
表示パネル４１は、高コントラストで表示内容を記憶する記憶性を備える電気泳動方式の表示体である。
ここで、電気泳動方式の表示体について図示を略して概説する。電気泳動方式の表示体は、電位差による電気泳動により移動する性質を有する有機あるいは無機の粒子（電気泳動粒子）が内部に封入されたマイクロカプセルを、２種類の色にそれぞれ着色して表示体の透明電極を有する基板間に混入させて製造する。製造された表示体に対して、透明電極から電圧印加することによって、電気泳動粒子は一方の電極上に堆積するため、マイクロカプセルは同一方向に揃う。従って、表示体の観察者は、マイクロカプセル上に着色された一方の色を見ることになる。また、透明電極の印加電圧を逆極とすることで、マイクロカプセルは他方の向きとなるため、表示体の観察者は、マイクロカプセル上に着色された他方の色を見ることになる。更に、電圧印加により整列したマイクロカプセルは、印加した電圧を解除されても、双方の整列方向が安定して維持されるため、表示体における表示内容は保持される。
従って、電気泳動方式の表示体は、表示信号と、駆動電圧とが供給されることで、表示信号に従った表示を行い、以降、表示体の表示内容は、表示信号および駆動電圧が与えられなくても保持される。
【００２４】
受信ポート１１および送信ポート２１は、インターフェイスを含むＵＳＢポートである。また、操作入力スイッチ５１は、矢印キーやボタンなどで構成され、修正入力パッド５６は、例えば、手書き文字が入力可能な入力タッチパネルなどで構成される。また、バッテリ７３は、携帯可能な電源、例えば電池を採用できる。
【００２５】
図３は、プリントバッファ装置１の機能構成を示す概略構成図である。このプリントバッファ装置１は、操作入力部５０、制御部７０、データ入力部１０、データ記憶部３０、印刷イメージ生成部６０、印刷イメージ表示部４０、修正入力部５５、印刷データ修正部８０およびデータ出力部２０で構成される。また、印刷データ修正部８０は、印刷データ並び換え手段８３、印刷データ複製手段８４、印刷データ削除手段８５、印刷イメージ修正手段８１および印刷データ復元手段８２を有する。
データ入力部１０は、受信ポート１１およびデータ入力端子１２を含むハードウェアで構成され、ホスト装置２で生成されてＵＳＢを介してプリントバッファ装置１に送られた印刷データ３３を受け、データ記憶部３０に転送する。
【００２６】
操作入力部５０は、操作入力スイッチ５１を含むハードウェアで構成され、プリントバッファ装置１の使用者が入力した操作に関する指示を制御部７０に伝える。プリントバッファ装置１の使用者は、この操作入力部５０から、プリントバッファ装置１の起動、プリンタ３で印刷する印刷データ３３の選択、印刷データ３３の削除、印刷順序の変更、印刷イメージの修正、印刷の実行などを指示できる。
制御部７０は、操作入力部５０からの指示に従い、各機能部に対して動作の指示を出すのに加えて、各機能部からの指示に対する応答を管理する。また、制御部７０、印刷イメージ生成部６０および印刷データ修正部８０は、ＣＰＵ７１、ＲＡＭ７４およびＲＯＭ７２のハードウェア資源と、ＲＯＭ７２などに記憶されたソフトウェアとが有機的に協働して、これらの機能を実現している。
【００２７】
データ記憶部３０は、フラッシュメモリ３１を含むハードウェアで構成され、印刷データ３３を記憶する。このデータ記憶部３０で記憶できる印刷データ３３の数は、フラッシュメモリ３１の容量および印刷データ３３の大きさに依存する。また、このデータ記憶部３０は、印刷データ３３を入力した順に記憶し、記憶した順に出力するデータキュー３２を備える。このデータキュー３２に記憶された印刷データ３３は、制御部７０からの指示により、データキュー３２内部での並び換えが可能であり、並び換えられた順序に従い、印刷される順序も変更される。更に、印刷待ち状態の印刷データ３３は、制御部７０からの指示により、複製の作成や削除も可能である。
データ出力部２０は、送信ポート２１およびデータ出力端子２２を含むハードウェアで構成され、制御部７０からの印刷指示に従い、データ記憶部３０から送られる印刷データ３３をプリンタ３に転送する。
【００２８】
印刷イメージ生成部６０は、制御部７０からの印刷イメージの表示指示に従い、データ記憶部３０のデータキュー３２に記憶されている印刷データ３３から、プリンタ３で印刷される印刷イメージを生成する。即ち、印刷イメージ生成部６０は、ＥＳＣ／ＰＡＧＥで記述されたプリンタコードを解釈して、プリンタ３で印刷される印刷像のデータと、印刷を制御する制御データとを分離する。ここで、制御データとは、例えば、印刷方向や描画倍率等の情報を表わすデータである。次に、印刷イメージ生成部６０は、印刷像のデータを制御データに従ってメモリ上に展開することにより、印刷イメージのデータを生成し、印刷イメージ表示部４０に送る。また、印刷像のデータおよび印刷を制御する制御データは、制御部７０からの指示に応じて、印刷データ修正部８０に対しても送られる。
【００２９】
印刷イメージ表示部４０は、表示パネル４１、表示パネルの駆動回路（４２，４３）、切り換えスイッチ４４およびバンドデータ記憶手段４５を含むハードウェアで構成される（図５）。印刷イメージ表示部４０は、印刷イメージ生成部６０から送られる印刷イメージのデータを受け、印刷イメージを電気泳動方式の表示パネル４１上に表示する。表示パネル４１における表示方法については、後述する。
修正入力部５５は、修正入力パッド５６を含むハードウェアで構成され、印刷イメージの修正内容に関する指示を、印刷イメージ修正手段８１に伝える。プリントバッファ装置１の使用者は、この修正入力部５５から、印刷方向や描画倍率等の印刷の制御に関する情報の修正を指示できる。
【００３０】
印刷データ複製手段８４は、操作入力部５０からの指示に従い、データキュー３２内の印刷データ３３をデータキュー３２内の任意の位置に複製する。更に、印刷データ削除手段８５は、操作入力部５０からの指示に従い、データキュー３２内の印刷データ３３を削除する。また、印刷データ並び換え手段８３は、操作入力部５０からの印刷データ３３の順序を変更する指示に従い、データキュー３２内の印刷データ３３を並び換えることで、印刷する順序を変更する印刷順序変更手段である。このデータ並び換えは、印刷データ複製手段８４および印刷データ削除手段８５の機能を組み合わせることで実現できる。
印刷イメージ修正手段８１は、修正入力部５５からの印刷イメージの修正の指示に従い、該当する制御データを修正する。また、印刷データ復元手段８２は、修正した制御データと、印刷像のデータとから、プリンタ３が印刷可能な印刷データ３３を生成して、データ記憶部３０に送る。なお、印刷イメージ修正手段８１および印刷データ復元手段８２での処理の詳細については、後述する。
【００３１】
図４は、印刷処理におけるプリントバッファ装置１の機能を示すフローチャートである。以下、印刷処理におけるプリントバッファ装置１の機能を図４に従い、図１および図３も参照して説明する。
最初に、ホスト装置２は、印刷対象のアプリケーションデータを印刷データ３３に変換する（ステップＳ１００）。
次に、ホスト装置２は、印刷データ３３をプリントバッファ装置１に転送する（ステップＳ１０１）。
ここから、プリントバッファ装置１による処理に移る。始めに、プリントバッファ装置１は、転送された印刷データ３３をデータ記憶部３０に記憶する。次に、プリントバッファ装置１は、操作入力部５０から印刷データ３３を表示する指示が出されているか調べる（ステップＳ１１０）。
ここで、印刷データ３３を表示する指示が出されている場合（ステップＳ１１０でＹｅｓ）、プリントバッファ装置１は、印刷イメージ生成部６０で印刷データ３３を解釈して印刷イメージを生成する（ステップＳ１１１）。
【００３２】
次に、プリントバッファ装置１は、印刷イメージを印刷イメージ表示部４０で表示する（ステップＳ１１２）。表示した後、プリントバッファ装置１は、操作入力部５０から印刷データ３３を表示する指示が出されているかを調べる処理（ステップＳ１１０）に戻る。
他方で、印刷データ３３を表示する指示が出されていない場合（ステップＳ１１０でＮｏ）、プリントバッファ装置１は、修正入力部５５から印刷データ３３を修正する指示が出されているか調べる（ステップＳ１１３）。
ここで、印刷データ３３を修正する指示が出されている場合（ステップＳ１１３でＹｅｓ）、プリントバッファ装置１は、印刷イメージ修正手段８１で印刷データを修正し、印刷データ復元手段８２でプリンタ３が印刷可能な印刷データを生成した後、データ記憶部３０に記憶する（ステップＳ１１４）。記憶した後、プリントバッファ装置１は、操作入力部５０から印刷データ３３を表示する指示が出されているかを調べる処理（ステップＳ１１０）に戻る。
【００３３】
他方で、印刷データ３３を修正する指示が出されていない場合（ステップＳ１１３でＮｏ）、プリントバッファ装置１は、操作入力部５０から印刷データ３３を印刷する指示が出されているか調べる（ステップＳ１１５）。
ここで、印刷データ３３を印刷する指示が出されていない場合（ステップＳ１１５でＮｏ）、プリントバッファ装置１は、操作入力部５０から印刷データ３３を破棄する指示が出されているか調べる（ステップＳ１１６）。
ここで、印刷データ３３を破棄する指示が出されていない場合（ステップＳ１１６でＮｏ）、プリントバッファ装置１は、操作入力部５０から印刷データ３３を表示する指示が出されているかを調べる処理（ステップＳ１１０）に戻る。
他方で、印刷データ３３を破棄する指示が出されている場合（ステップＳ１１６でＹｅｓ）、プリントバッファ装置１は、印刷データ削除手段８５によりデータキュー３２内の印刷データ３３を削除し、印刷処理を終了する（ステップＳ１１７）。
また、印刷データ３３を印刷する指示が出されている場合（ステップＳ１１５でＹｅｓ）、プリントバッファ装置１は、印刷データ３３をプリンタ３に転送する。プリンタ３は、転送された印刷データ３３を解釈する（ステップＳ１２０）。
次に、プリンタ３は、印刷データ３３を用紙に印刷して、印刷処理は終了する（ステップＳ１２１）。
【００３４】
図５は、印刷イメージ表示部４０の表示パネル４１における表示方法を示す概略図である。ここで、表示パネル４１の表示領域は、バンドデータ１エリアから、バンドデータ７エリアまで一定の幅で７分割されている。一方の駆動回路４３は、それぞれのバンドデータエリアに対応した同一の駆動回路を備える。また、他方の駆動回路４２は、バンドデータエリア共通の電極を駆動する。
【００３５】
切り換えスイッチ４４は、分割されたバンドデータエリアに対応する駆動回路４３を切り換える。ここで、切り換えられた駆動回路４３は、バンドデータ記憶手段４５と電気的に接続される。このバンドデータ記憶手段４５は、印刷イメージ生成部６０が展開した印刷イメージのデータの中から、切り換えスイッチ４４で接続されているバンドエリアで表示するデータを読み込み、読み込んだデータに基づいて表示信号を生成する。即ち、切り換えスイッチ４４により、バンドデータ記憶手段４５と、バンドデータ１に対応した駆動回路４３とが接続されている場合、バンドデータ記憶手段４５は、バンドデータ１エリアで表示される表示信号を生成して駆動回路（４２，４３）に転送し、バンドデータ１エリアは転送された表示信号に従い情報を表示する。
【００３６】
次に、切り換えスイッチ４４が切り替わり、バンドデータ記憶手段４５と、バンドデータ２エリアに対応した駆動回路４３とが接続された場合、バンドデータ記憶手段４５は、バンドデータ２エリアで表示する表示信号を生成して駆動回路（４２，４３）に転送し、バンドデータ２エリアは転送された表示信号に従い情報を表示する。ここで、表示パネル４１は、表示を記憶する電気泳動方式の表示体であるため、先にバンドデータ１エリアで表示された情報は、駆動電力を含む表示信号が与えられなくても表示内容は維持される。以下、同様にして、表示信号は、全てのバンドデータ（１〜７）エリアに対して転送され、印刷イメージ生成部６０が展開した印刷イメージは、表示パネル４１の全面で表示される。
【００３７】
図６は、印刷イメージ修正手段８１および印刷データ復元手段８２において、印刷イメージを修正する方法を説明する概略説明図である。
データ記憶部３０に記憶された印刷データ３３Ａは、２ページ分のデータで構成され、印刷イメージ生成部６０で生成された印刷イメージは、表示パネル４１Ａに表示される。ここで、プリントバッファ装置１の使用者は、印刷イメージ修正手段８１を使い、例えば表示パネル４１Ｂに表示されるような印刷イメージになるように修正する。即ち、２ページ分のイメージは、１ページ分の用紙に収まるように横向きに回転されて縮小される。次に印刷データ復元手段８２は、この印刷イメージから印刷データ３３Ｂを復元する。
【００３８】
ここで、印刷データ３３について述べる。この印刷データ３３は、ＥＳＣ／ＰＡＧＥで記述されたプリンタコードであり、１ページ分の印刷情報は、印刷像のデータであるプリントジョブデータと、このプリントジョブデータを挟む形で配置された印刷制御コマンド（Ｅｐｓｏｎ  Ｊｏｂ  Ｌａｎｇｕａｇｅコマンド）とで構成される。上記した印刷イメージの修正は、この印刷制御コマンドを修正することで実現する。具体的には、最初の１ページの制御コマンドに対して、次のような修正を行う。
（１）用紙を給紙する。
（２）印刷像を７０％縮小する。
（３）右に９０度回転する。
（４）印刷開始位置を用紙の上に合わせる。
（５）排紙しない。
【００３９】
また、次のページの制御コマンドに対して、次のような修正を行う。
（１）用紙は給紙しない。
（２）印刷像を７０％縮小する。
（３）右に９０度回転する。
（４）印刷終了位置を用紙の下に合わせる。
（５）排紙する。
上記のような修正が加えられた印刷データ３３Ｂは、データ記憶部３０に送られ、印刷データ３３Ａと置き換わる。これを受けて、印刷イメージ生成部６０は、印刷データ３３Ｂから印刷イメージを生成して、印刷イメージ表示部４０（表示パネル４１Ｂ）で表示する。ここで、プリントバッファ装置１の使用者は表示された印刷イメージの印刷を指示すると、印刷データ３３Ｂは、データ出力部２０からプリンタ３に転送され、表示パネル４１Ｂに表示されている印刷イメージのように印刷される。
【００４０】
以上述べたような実施例によれば、次のような効果がある。
（１）プリントバッファ装置１は、印刷データ３３を記憶するデータ記憶部３０を備え、電池で駆動するため、プリントバッファ装置１の使用者は、印刷データ３３を記憶したプリントバッファ装置１を携行して移動し、対応するプリンタに接続することで、移動先でも印刷データ３３を印刷できる。
（２）プリントバッファ装置１の使用者は、プリントバッファ装置１が記憶している印刷データ３３を印刷前に削除できるため、ホスト装置２で誤って印刷データ３３を生成した場合でも印刷を中止でき、印刷用紙の無駄な消費を防げる。
【００４１】
（３）プリントバッファ装置１の使用者は、プリントバッファ装置１が記憶している複数の印刷データ３３の印刷順序を変更できるため、複数の印刷データ３３を効率的に印刷できる。
（４）プリントバッファ装置１の使用者は、印刷イメージ修正手段８１において印刷制御コマンドを修正できるため、印刷仕様が異なるプリンタと接続した場合でも、印刷制御コマンドを修正して印刷できる。
【００４２】
以上、本発明のプリントバッファ装置を図示の実施形態に基づいて説明したが、本発明は、これに限定されるものではなく、表示パネル４１は電気泳動方式の表示体に限らず、例えば、コレステリック液晶のような記憶性を有する表示体でもよい。また、バッテリ７３は充電可能な電池であってもよく、ＵＳＢで接続されたホスト装置２やプリンタ３から電源を取得して充電してもよい。
【００４３】
更に、印刷イメージ修正手段８１は、ホスト装置２で印刷データ３３を生成するソフトウェア（プリンタドライバ）を備え、印刷データ３３の印刷像のデータ（プリントジョブデータ）を修正してもよい。
更に、プリントバッファ装置１は、プリンタ３と一体化して構成されると共に、このプリンタ３で印刷する印刷イメージを、印刷前に視認して修正できるバッファ装置として機能しても良い。
【図面の簡単な説明】
【００４４】
【図１】本発明の実施例に係るプリントバッファ装置の外観上の構成を示す外観構成図。
【図２】プリントバッファ装置の主なハード構成を示すブロック図。
【図３】プリントバッファ装置の機能構成を示す概略構成図。
【図４】印刷処理におけるプリントバッファ装置の機能を示すフローチャート。
【図５】表示パネルにおける表示方法を示す概略図。
【図６】印刷イメージを修正する方法を説明する概略説明図。
【符号の説明】
【００４５】
１…プリントバッファ装置、２…ホスト装置、３…プリンタ、１０…データ入力部、１１…受信ポート、１２…データ入力端子、２０…データ出力部、２１…送信ポート、２２…データ出力端子、３０…データ記憶部、３１…フラッシュメモリ、３２…データキュー、３３…印刷データ、４０…印刷イメージ表示部、４１…表示パネル、４２…駆動回路、４３…駆動回路、４４…スイッチ、４５…バンドデータ記憶手段、５０…操作入力部、５１…操作入力スイッチ、５５…修正入力部、５６…修正入力パッド、６０…印刷イメージ生成部、７０…制御部、７１…ＣＰＵ、７２…ＲＯＭ、７３…バッテリ、７４…ＲＡＭ、７５…バス、８０…印刷データ修正部、８１…印刷イメージ修正手段、８２…印刷データ復元手段、８３…印刷データ並び換え手段、８４…印刷データ複製手段、８５…印刷データ削除手段。
【図１】
0004784098.tif 000002
【図２】
0004784098.tif 000003
【図３】
0004784098.tif 000004
【図４】
0004784098.tif 000005
【図５】
0004784098.tif 000006
【図６】
0004784098.tif 000007